(57)【特許請求の範囲】
【請求項１】
先端開口部と後端開口部とを連通する内部貫通孔を有する支管本体と該先端開口部の周辺部に設けられた湾曲状鍔部とを有する支管を本管の支管取付孔に取付ける際に用いられる支管取付用締付具であって、（ａ）上部ネジロッドの下端部と下部支持ロッドの上端部とを該上部ネジロッドの回転運動を伝達しない継手手段を介して接続してなる長尺ロッドと、（ｂ）前記上部ネジロッドに螺動自在に取付けられた締付部材と、（ｃ）前記下部支持ロッドの下端部に回動可能に取付けられた係止部材とからなり、前記係止部材が、前記下部支持ロッドの下端部の取付部を支点として上下に回動可能とされ、かつ一方の端部が常時下方へ傾斜するように長手方向に重量差が設けられていることを特徴とする支管取付用締付具。
【請求項２】
前記締付部材の下面には、前記後端開口部の径に対応して径の異なる複数の嵌合段部が設けられていることを特徴とする請求項１記載の支管取付用締付具。
【発明の詳細な説明】
【０００１】
【発明の属する技術分野】
本発明は、水道管、特に下水道管の本管に支管を接着して取付ける際に、該本管に該支管を好適に仮止めすることができるようにした支管取付用締付具及びそれを用いた仮止め工法に関する。
【０００２】
【関連技術】
各家庭と水道の本管（配水管又は下水道管等）とを繋ぐためには、各家庭と本管を繋ぐための支管を本管に取付けて、各家庭への水の供給又は排水が該支管を介して行われている。
【０００３】
従来、このような支管を本管に取付ける工法として、穴が開穿された挿入孔を有する本管に、鍔部を有する支管の鍔部に接着剤を塗布することにより該支管を該本管に接着する工法が行われている。
【０００４】
ところで、上記した支管を本管に接着する作業には、接着剤が硬化するまでの間、いわゆる仮止めを行う必要があり、この仮止めの工法として、例えば、針金等を用いる仮止め工法が知られている（図４）。
【０００５】
しかし、上記した本管は地中に埋設されているため、このような針金等を用いた仮止め工法を行う場合には、該本管の支管取付位置のあたり周囲一帯を全て掘り起さねば工事を行うことができず、非常に煩わしいものであった。
【０００６】
また、このように本管の支管取付位置のあたり周囲一帯を各本管毎に全て掘り起すとなると非常に手間がかかり、結果として工期が延びてしまう。また、それに伴い工事にかかる費用も増加する。
【０００７】
近年の車社会を鑑みれば、水道工事は道路の交通渋滞に深刻な影響を及ぼす。水道工事に時間がかかれば、それだけ交通渋滞の程度はひどくなることになる。したがって、できるだけ迅速な工事を行い工期の短縮化を図ることが社会的急務であった。
【０００８】
また、工期の長期化は経済的にも決して好ましいことではなく、水道工事、特に下水道工事における支管を本管に接着する作業において、本管に支管を迅速かつ低コストで仮止めすることができる治具及び工法が長い間望まれていた。
【０００９】
【発明が解決しようとする課題】
本発明は、上述したような従来の課題に鑑みなされたもので、水道管、特に下水道管の本管に支管を接着して取付ける際に、該本管に該支管を簡便に仮止めすることができるようにした支管取付用締付具を提供することを目的とする。
【００１０】
【課題を解決するための手段】
上記課題を解決するために、本発明の支管取付用締付具は、先端開口部と後端開口部とを連通する内部貫通孔を有する支管本体と該先端開口部の周辺部に設けられた湾曲状鍔部とを有する支管を本管の支管取付孔に取付ける際に用いられる支管取付用締付具であって、（ａ）上部ネジロッドの下端部と下部支持ロッドの上端部とを該上部ネジロッドの回転運動を伝達しない継手手段を介して接続してなる長尺ロッドと、（ｂ）前記上部ネジロッドに螺動自在に取付けられた締付部材と、（ｃ）前記下部支持ロッドの下端部に回動可能に取付けられた係止部材と、からなり、前記係止部材が、前記下部支持ロッドの下端部の取付部を支点として上下に回動可能とされ、かつ一方の端部が常時下方へ傾斜するように長手方向に重量差が設けられていることを特徴とする。
【００１１】
また、上記係止部材が、上記下部支持ロッドの下端部の取付部を支点として上下に回動可能とされ、かつ一方の端部が常時下方へ傾斜するように長手方向に重量差が設けられているのがより好ましい。
【００１２】
より好ましくは、上記締付部材の下面に、上記支管の後端開口部の径に対応して径の異なる複数の嵌合段部を設けた構成とし、様々な径の該支管取付孔に対応できるようにする。このように構成すれば、上記支管取付用締付具が１つあれば、あらゆる管種に対応することが可能となり、非常に作業効率がよくなり経済的である。
【００１３】
上述した本発明の支管取付用締付具を用いる仮止め工法は、（ａ）前記支管の鍔部の下面に接着剤を塗布し、（ｂ）前記先端開口部と前記支管取付孔とが一致するように前記支管の鍔部を本管の外周面に載置し、（ｃ）前記係止部材を前記後端開口部、先端開口部及び支管取付孔を介して本管内部へと挿入し、（ｄ）前記締付部材を前記上部ネジロッドに沿って螺動降下させて該締付け部材を前記支管の後端開口縁部に当接させるとともに前記係止部材を本管内部の取付孔周縁部に係止させ、（ｅ）最後に前記上部ネジロッドを回転させることによって、（ｆ）前記締付部材及び係止部材を互いに近接せしめ前記支管の後端開口縁部及び本管の内部の取付孔周縁部を介して支管と本管とを締付けることにより、前記鍔部と該鍔部と接触する本管外周面とを強固に接触せしめ、前記支管を前記本管に仮止めするようにしたものである。
【００１４】
なお、上述した仮止め工法を実施した後は、所定時間放置して接着剤の硬化を行う。
【００１５】
上記のように構成された支管取付用締付具を用いて、上記した仮止め工法を行えば、上記締付部材及び係止部材が互いに近接せしめられ上記支管の後端開口縁部及び本管の内部の取付孔周縁部を介して支管と本管とを締付けることができるように構成されているため、上記支管の鍔部と該鍔部と接触する本管外周面とが強固に接触せしめられ、容易に支管の仮止めを行うことが可能となる。
【００１６】
また、上記下部支持ロッドの下端部に回動可能に取付けられた係止部材を、一方の端部が常時下方へ傾斜するように構成しておけば、該係止部材を上記後端開口部、先端開口部及び支管取付孔を介して本管内部へと挿入することが容易になる。
【００１７】
したがって、上記係止部材は、上記下部支持ロッドの下端部の取付部を支点として上下に回動可能とされ、かつ一方の端部が常時下方へ傾斜するように長手方向に重量差が設けられているのがより好適である。重量差を設ける手段としては、例えば、該係止部材の一方の端部に切欠き部を設けて、該一端部の方が他端部よりも軽くする構成や、該係止部材の一方の端部に重石を設けて、該一端部の方が他端部よりも重くする構成等が挙げられる。後述する本発明発明の実施の形態においては、前者の手段を用いた場合の一例を示した。
【００１８】
また、支管を本管に接着する作業する際に、上記した支管取付用締付具を用いて上記した仮止め工法を行うことにより、上記支管の鍔部の下面に塗布された接着剤が硬化するまで仮止めを行えば、従来のように該本管の支管取付位置のあたり周囲一帯を全て掘り起こす必要もなく、大幅な工期の短縮や工事費用の削減につながる。
【００１９】
【発明の実施の形態】
以下に、添付図面を参照して本発明の実施の形態を詳細に説明するが、本発明の技術思想から逸脱しない限り図示例以外にも種々の変形又は変更が可能なことはいうまでもない。
【００２０】
図１は本発明の支管取付用締付具の１つの実施の形態を示す概略一部断面正面説明図、図２は本発明の支管取付用締付具を用いて支管の仮止めを行った１つの実施の形態を示す概略正面説明図、図３は図２のIII-III線断面図、図４は従来行われていた支管の仮止め工法を示す概略斜視説明図である。
【００２１】
図１において、本発明の支管取付用締付具１０は、上部ネジロッド１２の下端部と下部支持ロッド１４の上端部とを該上部ネジロッド１２の回転運動を伝達しない継手手段１６を介して接続してなる長尺ロッド１８と、該上部ネジロッド１２に螺動自在に取付けられた締付部材２０と、該下部支持ロッド１４の下端部に回動自在に取付けられた係止部材２２とから構成されている。図示の例では、該継手手段１６は、環状継手部材カバー６２と環状継手部材６４から構成されている。
【００２２】
また、上記係止部材２２には切欠き部２４が設けられ、上記下部支持ロッド１４の下端部の取付部７４を支点として上下に回動可能とされ、かつ一方の端部が常時下方へ傾斜するように長手方向に重量差が設けられているため、本管２６の内部４４への挿入が容易に行われる。さらに、図示例では、該上部ネジロッド１２には、該上部ネジロッド１２を回転させるためのハンドル２８が設けられている。
【００２３】
そして、先端開口部３６と後端開口部４２とを連通する内部貫通孔６８を有する支管本体７０と該先端開口部３６の周辺部に設けられた湾曲状鍔部３２とを有する支管３０の該鍔部３２の下面に接着剤３４を塗布し、支管３０の先端開口部３６と支管取付孔３８とが一致するように該支管３０の鍔部３２を本管２６の外周面４０に載置し、上記係止部材２２が支管３０の後端開口部４２、先端開口部３６及び支管取付孔３８を介して本管２６の内部４４へと挿入せしめられている。
【００２４】
また、上記締付部材２０の下面７２には、上記後端開口部４２の径に対応して径の異なる複数の嵌合段部４６ａ，４６ｂを設けた構成とされている。このように構成しておけば、様々な管種に対応することが可能となり、非常に作業効率がよくなり経済的となる。なお、図示例では、２段の嵌合段部４６ａ，４６ｂを設けた例を示したが、さらに多くの嵌合段部を設ける構成としてもよい。また、該嵌合段部４６ａ，４６ｂを設けない構成とすることもできる。
【００２５】
また、上記した切欠き部２４を有する係止部材２２は、該下部支持ロッド１４の下端部に回動自在に取付ける構成とされていればよい。図示の例では、ボルト５０及びナット５２で下部支持ロッド１４の下端部に回動自在に取付けた例を示した。
【００２６】
そして、図１において仮想線で示したように、上記係止部材２２が本管内部４４で、該本管２６と平行となるようにする。
【００２７】
次に、該締付部材２０を該上部ネジロッド１２に沿って螺動降下させて該締付部材２０を該支管３０の後端開口部４２の後端開口縁部５４に当接させるとともに該係止部材２２を本管内部４４の支管取付孔３８の取付孔周縁部５６に係止させ、最後に該上部ネジロッド１２を回転させることによって、該締付部材２０及び該係止部材２２を互いに近接せしめ該支管３０の後端開口縁部５４及び本管内部４４の取付孔周縁部５６を介して支管３０と本管２６とを締付けることにより、該支管３０の鍔部３２と該鍔部３２と接触する本管外周面４０とを強固に接触せしめて、図２に示すように、該支管３０を該本管２６に仮止めする。
【００２８】
そして、このように仮止めを行った後、所定時間放置すれば、上記した接着剤３４が硬化することにより、支管３０と本管２６の強固な接着が実現される。
【００２９】
図３は、図２のIII-III線断面図であるが、上部ネジロッド１２、下部支持ロッド１４、ネジ部材５８、ボルト５０及びナット５２の断面による図示は省略してある。図によく示される如く、該上部ネジロッド１２に沿って螺動降下され、該支管３０の後端開口部４２の後端開口縁部５４に当接させられた該締付部材２０と本管内部４４の支管取付孔３８の取付孔周縁部５６に係止させられた該係止部材２２は、最後に該上部ネジロッド１２を回転させることによって、互いにさらに近接せしめられ、該支管３０の後端開口縁部５４及び本管内部４４の取付孔周縁部５６を介して支管３０と本管２６とを締付けることにより、該支管３０の鍔部３２と該鍔部３２と接触する本管外周面４０とを強固に接触せしめている。
【００３０】
図３によく示される如く、上部ネジロッド１２の下端部と下部支持ロッド１４の上端部とは、該上部ネジロッド１２の回転運動を伝達しないように継手手段１６により構成されている。
【００３１】
したがって、上述したように、該上部ネジロッド１２を回転させても、該上部ネジロッド１２の回転運動は、該下部支持ロッド１４には伝達しない。このように構成することにより、該上部ネジロッド１２の回転運動が、該支管３０の後端開口部４２の後端開口縁部５４に当接させられた該締付部材２０と本管内部４４の支管取付孔３８の取付孔周縁部５６に係止させられた該係止部材２２とを互いに近接せしめる運動へと変換せしめられ、該支管３０の後端開口縁部５４及び本管内部４４の取付孔周縁部５６を介して支管３０と本管２６とを締付けることにより、該支管３０の鍔部３２と該鍔部３２と接触する本管外周面４０とを強固に接触せしめるのである。
【００３２】
継手手段１６は、上部ネジロッド１２の下端部と下部支持ロッド１４の上端部とを該上部ネジロッド１２の回転運動を伝達しないように構成されていればよい。図示の例では、環状継手部材カバー６２と環状継手部材６４をネジ部材５８により螺着せしめることにより継手手段１６を構成した例を示した。したがって、図において、上部ネジロッド１２を回転せしめても、該回転運動は下部支持ロッド１４に伝達しないため、上部ネジロッド１２が回転するのみで、下部支持ロッド１４は回転しないように構成されている。
【００３３】
【発明の効果】
以上のように、本発明によれば、水道工事、特に下水道工事における支管を本管に接着する作業において、本管に支管を迅速かつ低コストで仮止めすることができ、かつ極めて簡便に仮止めすることができるという優れた効果を奏し得る。
【図面の簡単な説明】
【図１】  本発明の支管取付用締付具の１つの実施の形態を示す概略一部断面正面説明図である。
【図２】  本発明の支管取付用締付具を用いて支管の仮止めを行った１つの実施の形態を示す概略正面説明図である。
【図３】  図２のIII-III線断面図である。
【図４】  従来行われていた支管の仮止め工法を示す概略斜視説明図である。
【符号の説明】
１０：支管取付用締付具、１２：上部ネジロッド、１４：下部支持ロッド、１６：継手手段、１８：長尺ロッド、２０：締付部材、２２：係止部材、２４：切欠き部、２６：本管、２８：ハンドル、３０：支管、３２：湾曲状鍔部、３４：接着剤、３６：先端開口部、３８：支管取付孔、４０：本管外周面、４２：後端開口部、４４：本管内部、４６ａ，４６ｂ：嵌合段部、５０：ボルト、５２：ナット、５４：後端開口縁部、５６：取付孔周縁部、５８：ネジ部材、６２：環状継手部材カバー、６４：環状継手部材、６６：針金、６８：内部貫通孔、７０：支管本体，７２：下面、７４：取付部。
【図１】
0003872328.tif 000002
【図２】
0003872328.tif 000003
【図３】
0003872328.tif 000004
【図４】
0003872328.tif 000005